(57)【要約】      （修正有）【課題】冷風及び温風を室内全体に作用するように効率的に循環させた上で、暖房時における加湿を行なう循環装置を提供する。【解決手段】伸縮可能な通風パイプ部１と、該通風パイプ部１の床面Ｂ側に連結された第１換気部２と、天井Ｃ側に連結された第２換気部３と、前記通風パイプ部１と第１換気部２との間に介在した送風機４と、該送風機４と第１換気部２との間に介在した加湿装置５とから構成されている。また、循環装置Ａは、暖房用に設定したものであり、天井側に溜まる暖気を、天井Ｃ側の第２換気部３の換気口３０から吸い込んで床面Ｂ側の第１換気部２の換気口２０から吹き出すようにされている。【選択図】図１
0003144803.tif 000002
【実用新案登録請求の範囲】
【請求項１】
軸線方向を室内の床面から天井に向かう方向とする通風パイプ部と、
該通風パイプ部の床面側に連結された第１換気部と、
同じく通風パイプ部の天井側に連結された第２換気部と、
前記第１換気部、又は前記第２換気部のいずれか一方から吸気し、他方の換気部から排気する送風機と、を備えた冷暖房用冷温風循環装置において、
前記通風パイプと連通し、吸気される空気により貯水された水分を気化して、この気化した水分により加湿する加湿装置を着脱自在または一体に備え、
前記加湿装置は、通風パイプ部と連通する管体と、該管体の内周の全周または内周の一部に設けられた貯水槽部と、該貯水槽部の全域または一部に挿入された吸水体と、前記貯水槽部と連通して該貯水槽部に水を供給する給水部と、
を備えていることを特徴とする冷暖房用冷温風循環装置。
【請求項２】
前記吸水体は、前記管体の内周方向に沿って折り目が連続する蛇腹状に形成されていることを特徴とする請求項１に記載の冷暖房用冷温風循環装置。
【請求項３】
前記吸水体が、不織布、織布、編布、スポンジ材、紙材の素材の内、いずれか一つ、または二つ以上の素材からなることを特徴とする請求項１または２に記載の冷暖房用冷温風循環装置。
【考案の詳細な説明】
【技術分野】
【０００１】
本考案は、冷暖房器から吹き出される冷風及び温風を室内全体に作用させるための冷暖房用冷温風循環装置に関する。
【背景技術】
【０００２】
本考案の冷暖房用冷温風循環装置に関連する先行技術文献情報として、例えば、次の特許文献１，２がある。
【特許文献１】特開２００８−１０１８５０号公報
【特許文献２】実登３１４０２７５号公報
【０００３】
この特許文献１，２には、天井側に溜まる暖気を上方から吸気して床面側に排気することで暖房効率を向上させ、また、床面側に溜まる冷気を下方から吸気して天井側に排気することで冷房効率を向上させる冷暖房用冷温風循環装置について開示されている。
【考案の開示】
【考案が解決しようとする課題】
【０００４】
前記特許文献１，２により、冷風及び温風を室内全体に作用するように効率的に循環させることができるようになったが、更に、この冷暖房用冷温風循環装置の暖房時において加湿を行なうという観点から、鋭意研究の結果本考案に至ったものである。
【０００５】
本考案は、このような問題に対処することを課題とするものである。すなわち、冷風及び温風を室内全体に作用するように効率的に循環させた上で、暖房時における加湿を行なうことが本考案の目的である。
【課題を解決するための手段】
【０００６】
前記目的を達成するため、本考案に係る冷暖房用冷温風循環装置は、以下の構成を少なくとも具備する。
【０００７】
軸線方向を室内の床面から天井に向かう方向とする通風パイプ部と、該通風パイプ部の床面側に連結された第１換気部と、同じく通風パイプ部の天井側に連結された第２換気部と、前記第１換気部、又は前記第２換気部のいずれか一方から吸気し、他方の換気部から排気する送風機と、を備えた冷暖房用冷温風循環装置において、前記通風パイプと連通し、吸気される空気により貯水された水分を気化して、この気化した水分により加湿する加湿装置を着脱自在または一体に備え、前記加湿装置は、通風パイプ部と連通する管体と、該管体の内周の全周または内周の一部に設けられた貯水槽部と、該貯水槽部の全域または一部に挿入された吸水体と、前記貯水槽部と連通して該貯水槽部に水を供給する給水部と、を備えていることを特徴とする。
【０００８】
また、前記吸水体は、前記管体の内周方向に沿って折り目が連続する蛇腹状に形成されていることを特徴とする。
【０００９】
また、前記吸水体が、不織布、織布、編布、スポンジ材、紙材の素材の内、いずれか一つ、または二つ以上の素材からなることを特徴とする。
【考案を実施するための最良の形態】
【００１０】
以下、本考案に係る冷暖房用冷温風循環装置を実施するための最良の形態を図面に基づいて説明する。
図１〜図５は、本考案に係る冷暖房用冷温風循環装置（以下「循環装置」と略称する。）Ａの一形態を示す構成図である。
【００１１】
本形態の循環装置Ａは、図１に示すように、伸縮可能な通風パイプ部１と、該通風パイプ部１の床面Ｂ側に連結された第１換気部２と、天井Ｃ側に連結された第２換気部３と、前記通風パイプ部１と第１換気部２との間に介在した送風機４と、該送風機４と第１換気部２との間に介在した加湿装置５とから構成されている。
また、循環装置Ａは、暖房用に設定したものであり、天井側に溜まる暖気を、天井Ｃ側の第２換気部３の換気口３０から吸い込んで床面Ｂ側の第１換気部２の換気口２０から吹き出すようにされている。
【００１２】
尚、本実施例で示している循環装置Ａの構成は、前記加湿装置５を除いて、本出願人により登録済みの「実登３１４０２７５号」公報に記載の循環装置と同構成であるので、加湿装置Ｂを除く部位についての具体的な説明は省略する。
また、本考考案おける循環装置は、本出願人により出願された「特開２００８−１０１８５０号」公報に記載の循環装置にも適用できる。
【００１３】
次に、本実施例の加湿装置５を説明する。この加湿装置５は、内部に水が貯水されており、前記第２換気部３から吸気された暖気により貯水された水を気化して、この気化した水により加湿するものである。
すなわち、気化した水が吸気された暖気とともに第１換気部２から吹き出すことで室内の加湿を行なうものである。
また、本実施例の加湿装置５は、循環装置Ａに対して着脱可能に構成されているものであるが、本考案では、一体構造としたものとしてもよい(図示せず)。
【００１４】
前記加湿装置５の具体的な構成は、送風機４と第１換気部２に同軸線上で連通状に連結される管体６と、該管体６の内周に設けられた貯水槽部７と、該貯水槽部７の全域に挿入された吸水体８と、前記貯水槽部７と連通して該貯水槽部７に水を供給する給水部９から構成されている。
【００１５】
前記管体６は、管本体６０の上面側に送風機４の嵌合管４１が嵌脱可能に嵌合する連結管６１が立設され、下面側に第１換気部２の連結管２１に嵌脱可能に嵌合する嵌合管６２が立設されている。
管本体６０は、前記連結管６１と嵌合管６２よりも大径であり、その上面と下面の連結管６１と嵌合管６２の部位のみ開口される。
連結管６１は、前記連結管２１と同径及び同長に形成され、嵌合管６２は、前記嵌合管４１と同径及び同長に形成されている。
すなわち、加湿装置５の取り付け時において、アタッチメント等の連結具を使用することなく送風機４と第１換気部２との間に介在するように取り付けることができる。
【００１６】
前記貯水槽部７は、管本体６０の内周面の全周に亘る範囲に設けられている。
具体的には、嵌合管６２と同軸、且つ同径の環状壁部７１を管本体６０の内側に突設することにより、該環状壁部７１と、管本体６０の内周面と、管本体６０の下面とで、貯水可能な環状の槽形状に構成される。
そして、この貯水槽部７は、連結管６１と嵌合管６２を連通する開口を囲むように設けられおり、この全域に前記吸水体８が挿入されるようにしている。
また、貯水槽部７は、前記環状壁部７１の高さを、管本体６０の高さのおよそ半分程度にすることにより、挿入された吸水体８を貯水槽部７から管本体６０の内側に向けて露出させるようにしている。
すなわち、吸水体８が管本体６０の内側に向かって露出することにより、管本体６０を通過する暖気の吸水体８に対する接触効率を高めることができる。
【００１７】
前記吸水体８は、不織布、織布、編布、スポンジ材、紙材のような吸水性を備えた素材が用いられるが、この素材は、単独で用いてもよいし、二つ以上の素材を用いてもよい。
また、前記吸水体８は、前記貯水槽部７の周方向に沿って折り目が連続する蛇腹状に形成されている。
すなわち、吸水体８を蛇腹状に形成することにより、同周長の貯水槽部７中に挿入する場合、単なる環状に形成した吸水体(図示せず)に比べ、その表面積を大きくすることができる。
したがって、より多くの水を含ませることができると共に、管本体６０を通過する暖気の接触面積を大きくすることができるため、管本体６０を通過する暖気による気化を効率的に行なうことができる。
また、前記不織布、織布、編布、スポンジ材、紙材からなる吸水体８は、吸水機能のほかにも、各素材が有する繊維間や細孔等により、吸気した暖気に含まれるほこり等を取り除くフィルタとしても機能する。
また、送風機４には、径方向に抜き挿し可能に挿入されたフィルタ４２を備えているので、吸気された暖気に含まれるほこり等を効率的に取り除くことができる。
【００１８】
前記給水部９は、前記管本体６０の外側面に径方向に突出するように一体形成した受部９Ａと、該受部９Ａに対して抜き挿し自在にセットされるカートリッジ式の貯水タンク９Ｂとで構成されている。
受部９Ａは、挿し込まれた貯水タンク９Ｂを保持する保持凹部９０が形成されている。この保持凹部９０の底部９１は、前記貯水槽部７の底部７２と同面となっており、保持凹部９０と貯水槽部７とを隔てる前記管本体６０の側壁に開口された連通口７３により、保持凹部９０と貯水槽部７とが底部９１，７２同士で連通している。
すなわち、貯水タンク９Ｂから保持凹部９０の底部９１に給水され、該底部９１に給水された水が連通口７３から貯水槽部７に給水される。
そして、貯水槽部７に給水された水が前記吸水体８に吸水され、該吸水体８に吸水された水が、管本体６０を通過する暖気により気化する。
気化した水は、連続して管本体６０を通過する暖気とともに排気されることによって室内を加湿する。
前記吸水体８は、吸水した水量が限界量まで達するとその吸水は停止するが、水の気化に伴って水量が減少すると、減少した分だけ再び吸水する。
【００１９】
前記貯水タンク９Ｂは、例えば、石油ファンヒーターに使用されるカートリッジ式の燃料のタンクや、加湿器に使用されるカートリッジ式の水のタンク等に用いられている周知の構造のものと同様のものが使用できる。
ちなみに、この構造における貯水タンク９Ｂは、給水口９０Ｂを下にして受部９Ａにセットすると、給水口９０Ｂを開閉する弁体(図示せず)が前記底部９１に接触すると共に、上方に押されるように上昇することで給水口９０Ｂが開いて給水する。
このとき、給水口９０Ｂから貯水タンク９Ｂ内に空気が導入されることで内部の水が出るようになっており、給水により受部９Ａの水位が前記給水口９０Ｂを塞ぐ部位まで上昇すると、該水で給水口が塞がれることで給水が停止する。
また、前記吸水体８の吸水した水量が気化により減少すると共に、該吸水体の吸水が再開されることで、受部９Ａの水位は徐々に下がり、該水位が給水口９０Ｂよりも下側まで下降すると、塞がれていた給水口９０Ｂが開放されて貯水タンク９Ｂの水が給水される。
すなわち、貯水タンク９Ｂは、吸水体８の水量の増減による受部９Ａの水位の上昇及び下降により、給水と給水停止を自動的に繰り返すことができる。
【００２０】
本実施例の循環装置Ａは、前記のように、吸気した暖気により気化した水を、暖気とともに室内に排気するので、室内の効率的な暖房と加湿を行なうことができる。
また、循環装置Ａは、吸気した暖気により水を気化することで加湿するものであるため、室内の湿度が上昇して吸気される暖気の湿度が高くなるにしたがって気化しにくくなって、その気化量が減り、逆に湿度が低くなるにしたがって気化し易くなって、その気化量が増えることになる。
すなわち、吸気する暖気の湿度に応じて、水の気化量が自動的に調節されるため、過剰な加湿や湿度不足を防止することができ、常に、快適な湿度を保つことができる。
また、送風機４の動力による暖気の吸気及び排気により、水の気化及び加湿を行うものであるため、加湿を行なうためだけの動力を備える必要がない。
さらに、加湿装置５は、例えば、冷房時等の加湿を行わないときにおいては、取り外しておけばよいし、吸水体８の清掃や交換作業、あるいは加湿装置の清掃や点検作業等において、取外すことでその作業を容易に行うことができる。
【００２１】
なお、本考案は、例示した実施の形態に限定するものでは無く、実用新案登録請求の範囲の各項に記載された内容から逸脱しない範囲の構成による実施が可能である。
例えば、前記実施例では、加湿装置を循環装置に対して着脱可能とした形態で示しているが、本考案では加湿装置を一体とした形態も包含する。
また、前記実施例では、吸水体を蛇腹状に形成した形態で示しているが、本考案では、蛇腹以外に形成した形態も包含し、少なくとも、水を吸水できる形態であればよい。
また、前記実施例では、貯水槽部を管本体の内周面の全周に亘って設けた形態を示しているが、本考案では、管本体の内周面の一部に設けた形態も包含する。
また、前記実施例における給水部は、貯水タンクをカートリッジ式にした形態で示しているが、本考案では、貯水タンクを一体とした形態も包含し、この場合でも、上昇及び下降により、給水と給水停止を自動的に繰り返す構成とする。
【図面の簡単な説明】
【００２２】
【図１】（ａ）は、本考案に係る冷暖房用冷温風循環装置の設置状態（伸長状態）の正面図、（ｂ）は収縮状態の正面図。
【図２】図１の要部拡大断面図。
【図３】図２の（３）−（３）線断面図。
【図４】図２の（４）−（４）線断面図。
【図５】図２おいて加湿装置を取外した状態を示す
【符号の説明】
【００２３】
Ａ：循環装置
Ｂ：床面
Ｃ：天井
１：通風パイプ部
２：第１換気部
３：第２換気部
４：送風機
５：加湿装置
６：管体
７：貯水槽部
８：吸水体
９：給水部
【図１】
0003144803.tif 000003
【図２】
0003144803.tif 000004
【図３】
0003144803.tif 000005
【図４】
0003144803.tif 000006
【図５】
0003144803.tif 000007